(57)【特許請求の範囲】
【請求項１】
導水孔を有する本体と、該本体から導水孔の放水方向に延出しているフレーム、導水孔の放水方向に対向して設置された板状のデフレクターを有しており、導水孔が水平向きで配管に接続されるサイドウォール型スプリンクラーヘッドにおいて、デフレクターの上方位置には、導水孔から放出された水が衝突する面が水平に設けられ、かつフレームに固定された補助デフレクターがデフレクターから離間して設置されているとともに、補助デフレクターはフレームに固定された端とは反対側の端が水平から導水孔の中心軸方向に傾斜していることを特徴とするサイドウォール型スプリンクラーヘッド。
【請求項２】
前記補助デフレクターの傾斜角度は、０〜３０度（ただし０度は除く）であることを特徴とするサイドウォール型スプリンクラーヘッド。
【請求項３】
前記補助デフレクターは、フレームの固定位置から導水孔の中心軸方向に傾斜していることを特徴とする請求項１記載のサイドウォール型スプリンクラーヘッド。
【請求項４】
前記補助デフレクターは、導水孔の中心軸と平行に設置され、先端部が導水孔の中心軸方向に傾斜していることを特徴とする請求項１記載のサイドウォール型スプリンクラーヘッド。
【発明の詳細な説明】
【０００１】
【発明の属する技術分野】
本発明は、火災発生時に水を散布して消火を行うスプリンクラーヘッド、特に壁面や壁際に横向きにして取り付けるサイドウォール型スプリンクラーヘッドに関する。
【０００２】
【従来の技術】
スプリンクラーヘッドとは、火災が発生したときに水を散布して消火を行うものである。一般にスプリンクラーヘッドは、天井面に垂直に取り付け、上方から火元に向けて水を散布するようになっている。しかしながら、天井からシャンデリアのような照明器具を吊した場合は照明器具がスプリンクラーヘッドからの散水の邪魔になり、またルーバーのような装飾天井にした場合はスプリンクラーヘッドや配管が見えるためインテリアデザイン的に好ましい状態にならないという問題が生じる。このような場合には、スプリンクラーヘッドを部屋の壁面や壁際に取り付けることが行われている。壁面や壁際に取り付けるスプリンクラーヘッドをサイドウォール型スプリンクラーヘッド（Side Wall Type Sprinkler Head ：ＳＷスプリンクラーヘッド）と言い、火災発生時には火元とならない天井方向へは水を散布せず、部屋の中程の火元に向けて水を散布できるようになっている。
【０００３】
ＳＷスプリンクラーヘッドとしては、部屋の壁に近い天井面や壁際に垂直に取り付けるもの（垂直取り付け用ＳＷスプリンクラーヘッド）と、部屋の壁面や壁際に水平に取り付けるもの（水平取り付け用ＳＷスプリンクラーヘッド）とがある。
【０００４】
ところで部屋の天井に天井板が張られていなかったり、天井と階上の床面との間隔が狭くて消火用配管が敷設できなかったりするような場合には、下向き型の垂直取り付け用ＳＷスプリンクラーヘッドは天井に取り付けることができない。なぜならば、下向き型の垂直取り付け用ＳＷスプリンクラーヘッドは天井内の配管に螺合することにより、取り付けるようになっているからである。
【０００５】
またこの垂直取り付け用ＳＷスプリンクラーヘッドでも上向きのものを壁から少し離して壁際に取り付けようとする場合、壁面から水平方向に突出した配管をエルボーのような継ぎ手で立ち上がらせなければならないため、取り付け作業に手間や余分な費用がかかるようになる。それ故、壁面や壁際に取り付けるＳＷスプリンクラーヘッドとしては壁内の配管に横向けにして直接取り付ける水平取り付け用ＳＷスプリンクラーヘッドが適している。
【０００６】
垂直取り付け用ＳＷスプリンクラーヘッドは特開昭６４−５５７０号、実開昭５２−１０６０００号、実開昭５５−３０１７５号のように多数提案されているが、水平取り付け用ＳＷスプリンクラーヘッドとしては実開平５−２４０５８号に提案されているだけであった。この水平取り付け用ＳＷスプリンクラーヘッドは、スプリンクラーヘッドに水平方向平行となった円筒状の長いひさしを設置したものである。
【０００７】
【発明が解決しようとする課題】
実開平５−２４０５８号で提案された水平取り付け用ＳＷスプリンクラーヘッドは、従来のスプリンクラーヘッドに円筒状のひさしを設置するだけであるため製造が容易で、しかも安価であり、また天井方向への不必要な散布がなく、部屋の中程へ適当に散布されるものである。しかしながら、水平な円筒状のひさしを設置しただけのＳＷスプリンクラーヘッドは、日本の消防法の規格に適合しないものであった。日本の消防法ではＳＷスプリンクラーヘッドは、その取り付け部から床面に対して３．６ｍ×３．６ｍの散布域に均一に散布されなければならないことになっているが、水平な円筒状のひさしを設置しただけのＳＷスプリンクラーヘッドでは、図９に示すように両側に必要以上遠くに散布される部分（Ｙ）ができるばかりでなく、両側には未散布域（Ｚ）ができ、しかも前方にも必要以上遠くに散布される部分（Ｘ）ができ、しかもてしまうものであった。本発明は、水平取り付け用ＳＷスプリンクラーヘッドにおいて、所定の散布域に均一に散布できるＳＷスプリンクラーヘッドを提供することにある。
【０００８】
【課題を解決するための手段】
本発明者が、従来の水平取り付け用ＳＷスプリンクラーヘッドにおいて前方に必要以上遠くに散布される原因について鋭意研究を重ねた結果、その原因は補助デフレクターにあることを突き止め、補助デフレクターを改良すれば消防法に適合するＳＷスプリンクラーヘッドが得られることに着目して本発明を完成させた。
【０００９】
本発明は、導水孔を有する本体と、該本体から導水孔の放水方向に延出しているフレーム、導水孔の放水方向に対向して設置された板状のデフレクターを有しており、導水孔が水平向きで配管に接続されるサイドウォール型スプリンクラーヘッドにおいて、デフレクターの上方位置には、導水孔から放出された水が衝突する面が水平に設けられ、かつフレームに固定された補助デフレクターがデフレクターから離間して設置されているとともに、補助デフレクターはフレームに固定された端とは反対側の端が水平から導水孔の中心軸方向に傾斜していることを特徴とするサイドウォール型スプリンクラーヘッドである。
【００１０】
【発明の実施の形態】
本発明では補助デフレクターの下方への傾斜は、水平方向に対して０〜３０度が適している。ただし水を不必要に遠方まで散布しないため０度、即ち補助デフレクターの取り付け方向は水平であってはならず、０度よりも大きい角度とする。しかしながら補助デフレクターの傾斜の角度が３０度よりも大きくなると、前方への散布距離が短くなり、所定の散布域に未散布部分ができてしまう。
【００１１】
本発明では、補助デフレクターは図２、３に示すようにデフレクターの位置よりも後方（図の左方）から傾斜させたり、或は図５、６に示すようにデフレクターの位置よりも前方（図の右方）から傾斜させたりしてもよい。
【００１２】
本発明のＳＷスプリンクラーヘッドは、デフレクターが板状のもの、例えば平時に板状デフレクターが本体内に収納されており、火災発生時に飛び出てきて一定距離で停止するフラッシュ型スプリンクラーヘッドや、本体の両側から馬蹄形のフレームヨークが突出していて、その先端に板状のデフレクターが設置されたフレームヨーク型スプリンクラーヘッド等である。またこれらのスプリンクラーヘッドは平時、弁座を弁体が閉塞していて、該弁体を感熱分解部分で保持している閉鎖型スプリンクラーヘッド、或は弁座を弁体が閉塞してなく他の熱感知装置で感知した信号で一斉開放弁が開放することにより水を散布する開放型スプリンクラーヘッド等である。
【００１３】
【実施例】
以下図面に基づいて本発明のＳＷスプリンクラーヘッドを説明する。図１は本発明を適用させたフラッシュ型スプリンクラーヘッドの作動後の斜視図、図２は同側面図、図３は本発明を適用させたフラッシュ型スプリンクラーヘッドを壁面に取り付けた状態の側面断面図、図４はフラッシュ型スプリンクラーヘッドのデフレクターの拡大斜視図、図５は本発明を適用させたフレームヨーク型スプリンクラーヘッドの側面図、図６は本発明を適用させたフレームヨーク型スプリンクラーヘッドを壁面に取り付けた状態の側面断面図、図７はフレームヨーク型スプリンクラーヘッドのデフレクターの斜視図である。
【００１４】
先ずフラッシュ型スプリンクラーヘッドについて説明する。フラッシュ型スプリンクラーヘッドは、本体１、フレーム２、弁体３、デフレクター４、補助デフレクター５、感熱分解部分６、等から構成されている。
【００１５】
本体１は中央に導水孔７が穿設されており、端部は弁座８となっている。また本体１の外周には牡ネジ９が螺設され、端部はフランジ１０となっている。
【００１６】
フレーム２は円筒状であり、一端は内側フランジ１１となっていて、他端は前述本体１のフランジ１０に螺合している。
【００１７】
弁体３は円盤状で一側にパッキンが被着されており、平時、本体１の弁座８を水密状態に閉塞している。
【００１８】
デフレクター４は、図４に示すように円形の板状であり、上部には中央が深くなった逆円弧形の凹み１２が形成されている。またデフレクター４の両側には横方に複数のスリット１３・・・が形成されており、該スリットで形成された部分が羽根１４・・・となっている。羽根１４は縦の中心線に対して対象位置に形成されており、羽根の一部は導水孔方向に少し傾斜した状態で屈曲している。デフレクター４はリング１５に固定された二本の支柱１６、１６で吊設されるようになっている。
【００１９】
またデフレクター４の上方位置には補助デフレクター５が離間して設置されている。補助デフレクター５は矩形板を水平方向に対して下方に傾斜させたものであり、その傾斜の角度（β）は約４度となっている。補助デフレクターは立ち上がり部をフレーム２のフランジ１１に固定してあり、デフレクター４の位置よりも後方、即ち、固定位置から下方に傾斜している。ちなみに実開平５−２４０５８号のＳＷスプリンクラーヘッドは、円筒状のひさしが水平方向と平行になっているものである。
【００２０】
感熱分解部分６は、フレーム２から出た部分に配設されており、ガイドポスト１７を介して弁体３を保持している。感熱分解部分については周知（特公昭５８−３６９８５号）であるため、ここでは詳細な説明は省略する。
【００２１】
上記フラッシュ型スプリンクラーヘッドは、図２に示すように、部屋の壁１８に穴１９をあけ、該穴を通して壁内の配管２０に横向きにして取り付ける。壁１８の穴１９はフラッシュ型スプリンクラーヘッドよりも少し大きめにあけてあり、穴の周囲から壁内が見えたり、穴から風が出入りしたりするのを防ぐため、シーリングプレート２１で穴を覆い隠す。
【００２２】
次に本発明を適用したフラッシュ型スプリンクラーヘッドにおける火災発生時の作動について説明する。
【００２３】
火災が発生すると、火災の異常高温で感熱分解部分６が分解して感熱分解部分を構成する全ての部品が横方（図３の右方）に飛ばされる。すると感熱分解部分６で保持されていたデフレクター４も横方に移動する。デフレクター４の移動に伴いデフレクター４を支柱１６で吊設するリング１５もフレーム３の内壁面に沿って移動し、フレーム２の内方フランジ１１で移動が停止される。このときデフレクターと一体となった弁体３も移動するため、弁座８が開放される。
【００２４】
弁座８の開放で水が導水孔７から噴出し、デフレクター４に当たって分散される。このとき横方や下方への散布はデフレクター４に形成された複数の切り欠き１３・・・と羽根１４・・・によって所定巾に散布される。そして取り付け位置から前方の散布域に対しては、補助デフレクター５によって制御される。つまり補助デフレクターが従来の水平取り付け用ＳＷスプリンクラーヘッドのように水平方向に対して平行であると、中央部が所定の散布域を越えて散布され、しかも前方の両側の散布域に散布されない未散布部分ができてしまう。この原因は、円形で水平の補助デフレクターに沿って飛散した水が円形のまま水平方向に散布されるため円の頂部が遠方散布になると考えられる。ところが本発明のように下方に傾斜した補助デフレクターを設置しておくと、導水孔から噴出した水が補助デフレクターの傾斜に沿って散布されるため、必要以上に遠方へ飛散しなくなるものである。
【００２５】
次にフレームヨーク型スプリンクラーヘッドに本発明を適用したＳＷスプリンクラーヘッドについて説明する。
【００２６】
フレームヨーク型スプリンクラーヘッドは、本体３１、フレームヨーク３２、弁体３３、デフレクター３４、補助デフレクター３５、感熱分解部分３６、等から構成されている。
【００２７】
本体３１は、中央に導水孔３７が穿設されており、他端は弁座３８となっている。また本体３１の外側には牡ネジ３９が螺設されている。
【００２８】
フレームヨーク３２は、弁座３８の近傍から馬蹄形状に突出しており、その先端はボス４０となっている。
【００２９】
弁体３３は、円盤状で一側にパッキンが被着されており、平時、本体３１の弁座３８を水密状態で閉塞している。
【００３０】
デフレクター３４は、図７に示すように矩形の板状であり、ボス４０の先端に固定されている。デフレクター３４の上部には中央が深くなった逆二等辺三角形の凹み４１が形成されている。またデフレクター３４の両側には複数の切り欠き４２が刻設され、該切り欠きにより複数の羽根４３が横向きに形成されている。羽根４３の一部は、導水孔方向に略１５度傾斜した状態で屈曲している。
【００３１】
デフレクター３４の上方位置には補助デフレクター３５離間して設置されている。補助デフレクター３５は、矩形板を屈曲させて本体の端部に固定したもので、デフレクター３４の前方で水平方向に約１５度下方に傾斜している。
【００３２】
感熱分解部分は、弁体３２とボス４０間に設置されており、平時は弁体３３を押圧している。このフレームヨーク型スプリンクラーヘッドに使用する感熱分解部分の構造については周知（実公昭４２−１６５５３号）であるため、ここでは詳細な説明は省略する。
【００３３】
次いで本発明を適用したフレームヨーク型スプリンクラーヘッドにおける火災発生時の作動について説明する。
【００３４】
火災が発生すると、火災の異常高温で感熱分解部分３６が分解して感熱分解部分を構成する全ての部品が下方に飛ばされる。すると感熱分解部分３６で押圧されていた弁体３３も落下し、弁座３８が開放される。
【００３５】
弁座３８の開放で水が導水孔３７から噴出し、デフレクター３４に当たって分散される。このとき横方や下方への散布はデフレクター３４に形成された複数の羽根４３・・・によって所定巾に散布される。そして取り付け位置から前方の散布域に対しては、補助デフレクター３５とデフレクター３４の凹み４１によって制御される。
【００３６】
前述フラッシュ型のＳＷスプリンクラーヘッド、およびフレームヨーク型のＳＷスプリンクラーヘッドを壁面に取り付け、散布試験を行ったところ、図８に示すように３．６ｍ平方の散布域に均一に散布され、前方への不必要な散布がなかった。
【００３７】
【発明の効果】
以上説明したように本発明のスプリンクラーヘッドは、所定の散布域の前方に不必要に突出した散布がされず、しかも消防法に規定された散布域全域に均一に散布ができるという信頼性に優れたものである。
【図面の簡単な説明】
【図１】本発明を適用させたフラッシュ型スプリンクラーヘッドの作動後の斜視図
【図２】図１の同側面図
【図３】本発明を適用させたフラッシュ型スプリンクラーヘッドを壁面に取り付けた状態の側面断面図
【図４】フラッシュ型スプリンクラーヘッドのデフレクターの拡大斜視図
【図５】本発明を適用させたフレームヨーク型スプリンクラーヘッドの側面図
【図６】本発明を適用させたフレームヨーク型スプリンクラーヘッドを壁面に取り付けた状態の側面断面図
【図７】フレームヨーク型スプリンクラーヘッドのデフレクターの斜視図
【図８】本発明のサイドウォール型スプリンクラーヘッドにおける散布状態
【図９】従来のサイドウォール型スプリンクラーヘッドにおける散布状態
【符号の説明】
１  本体
２  フレーム
３  弁体
４  デフレクター
５  補助デフレクター
６  感熱分解部分
【図１】
0003845508.tif 000002
【図２】
0003845508.tif 000003
【図３】
0003845508.tif 000004
【図４】
0003845508.tif 000005
【図５】
0003845508.tif 000006
【図６】
0003845508.tif 000007
【図７】
0003845508.tif 000008
【図８】
0003845508.tif 000009
【図９】
0003845508.tif 000010